【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
互いに色の異なる複数の発光層と、
前記複数の発光層にそれぞれ電圧を印加する第１電極および第２電極と、
前記複数の発光層のうちの１または２以上の発光層と前記第１電極との間に設けられた電荷輸送層と
を備えた有機電界発光装置。
【請求項２】
前記複数の発光層は、素子毎に第１および第２の発光層を含み、
前記第１および第２の発光層のうちの前記第２の発光層の前記第１電極側に、前記電荷輸送層が形成されている、請求項１に記載の有機電界発光装置。
【請求項３】
前記電荷輸送層は、前記第１の発光層の前記第２電極側および前記第２の発光層の前記第１電極側に連続して設けられている、請求項２に記載の有機電界発光装置。
【請求項４】
赤画素、緑画素および青画素を含み、前記赤画素では、前記第１の発光層として赤色発光層が、前記緑画素では、前記第２の発光層として緑色発光層がそれぞれ形成されている、請求項２または３に記載の有機電界発光装置。
【請求項５】
赤画素、緑画素および青画素を含み、
前記緑画素では、前記第１の発光層として緑色発光層が、前記赤画素では、前記第２の発光層として赤色発光層がそれぞれ形成されている、請求項２乃至４のいずれかに記載の有機電界発光装置。
【請求項６】
前記青画素は青色発光層を有し、
前記電荷輸送層は、前記青画素における前記青色発光層の前記第１電極側にも設けられている、請求項４または５に記載の有機電界発光装置。
【請求項７】
赤画素、緑画素および青画素を含み、
前記赤画素および前記緑画素では黄色発光層が設けられ、
前記青画素では、青色発光層が設けられている、請求項２乃至６のいずれかに記載の有機電界発光装置。
【請求項８】
前記青画素では、前記青色発光層の前記第１電極側に前記電荷輸送層が形成されている、請求項７に記載の有機電界発光装置。
【請求項９】
前記青色発光層は、前記赤色発光層上および前記緑色発光層上の領域まで延在形成されている、請求項７または８に記載の有機電界発光装置。
【請求項１０】
前記電荷輸送層は正孔輸送性材料により構成されている、請求項１乃至９のいずれかに記載の有機電界発光装置。
【請求項１１】
前記第１の発光層はシロキサンを含む、請求項２乃至１０のいずれかに記載の有機電界発光装置。
【請求項１２】
第１電極を形成する工程と、
前記第１電極上に互いに色の異なる複数の発光層を形成する発光層形成工程と、
前記複数の発光層上に第２電極を形成する工程とを含み、
前記発光層形成工程では、
前記複数の発光層のうちの一の発光層を形成したのちに、他の発光層と前記第１電極との間に電荷輸送層を形成する
有機電界発光装置の製造方法。
【請求項１３】
前記発光層形成工程では、
第１および第２の発光層を、この順に、１または２種類の版を用いた印刷により形成し、
前記第１の発光層を形成したのち、
前記第２の発光層を形成する版を用いて前記電荷輸送層を形成する、請求項１２に記載の有機電界発光装置の製造方法。
【請求項１４】
前記第１の発光層を形成したのち、前記第２の発光層および前記電荷輸送層を積層した状態で形成する、請求項１３に記載の有機電界発光装置の製造方法。
【請求項１５】
赤画素領域に前記第１の発光層としての赤色発光層と、緑画素領域に前記第２の発光層としての緑色発光層をそれぞれ形成する、請求項１３または１４に記載の有機電界発光装置の製造方法。
【請求項１６】
前記赤色発光層および緑色発光層を形成したのち、
前記赤色発光層上および緑色発光層上の領域から青画素領域にわたって青色発光層を形成する、請求項１５に記載の有機電界発光装置の製造方法。
【請求項１７】
赤画素領域および緑画素領域に前記第１の発光層として黄色発光層を、青画素領域に前記第２の発光層として青色発光層をそれぞれ形成する、請求項１２乃至１６のいずれかに記載の有機電界発光装置の製造方法。
【請求項１８】
前記複数の発光層および電荷輸送層は有版印刷法によって形成されている、請求項１２乃至１７のいずれかに記載の有機電界発光装置の製造方法。
【請求項１９】
前記複数の発光層および電荷輸送層は反転オフセット印刷法によって形成されている、請求項１２乃至１８のいずれかに記載の有機電界発光装置の製造方法。
【請求項２０】
互いに異なる複数の発光層と、
前記複数の発光層にそれぞれ電圧を印加する第１電極および第２電極と、
前記複数の発光層のうちの１または２以上の発光層と前記第１電極との間に設けられた電荷輸送層と
を備えた有機電界発光装置を有する電子機器。
【手続補正２】
【補正対象書類名】明細書
【補正対象項目名】０００７
【補正方法】変更
【補正の内容】
【０００７】
しかしながら、反転印刷法では、ブランケット上に塗布されたインクは吸収されるため、凹版を接触させて除去した非印刷パターン領域に色素が残存する虞がある。複数の色画素を有する表示装置では、この残存色素が他の色の画素領域に付着することで発光光が混色して色純度が低下するという問題があった。
【手続補正３】
【補正対象書類名】明細書
【補正対象項目名】００１７
【補正方法】変更
【補正の内容】
【００１７】
＜第１の実施の形態＞
［１−１．全体構成］
図１は本開示の第１の実施の形態に係る有機電界発光装置（表示装置１）の断面構成を表したものである。表示装置１は、例えば、有機電界発光カラーディスプレイなどとして用いられ、例えば、駆動基板１０上に、赤色の光を発生する有機ＥＬ素子２Ｒ（第１有機ＥＬ素子、赤画素）、緑色の光を発生する有機ＥＬ素子２Ｇ（第２有機ＥＬ素子、緑画素）、および青色の光を発生する有機ＥＬ素子２Ｂ（青画素）が、規則的に複数配置されたものである。これらの有機ＥＬ素子２（２Ｒ，２Ｇ，２Ｂ）は、保護層１８により被覆されており、接着層１９を介して封止基板２０により封止されている。この表示装置１は、互いに隣接する有機ＥＬ素子２Ｒ，２Ｇ，２Ｂの組が一つのピクセル（pixel）を構成するもの
であり、封止基板２０の上面より３色の光ＬＲ，ＬＧ，ＬＢを射出する上面発光型の表示装置である。以下、各部の構成について説明する。
【手続補正４】
【補正対象書類名】明細書
【補正対象項目名】００２３
【補正方法】変更
【補正の内容】
【００２３】
ゲート絶縁膜１１０２，１１０３は、例えばシリコン酸化物（ＳｉＯX）、シリコン窒化物（ＳｉＮX）、シリコン窒化酸化物（ＳｉＯＮ）および酸化アルミニウム（Ａｌ2Ｏ2）等のうちの１種よりなる単層膜、またはこれらのうちの２種以上よりなる積層膜である。ここでは、ゲート絶縁膜１１０２が例えばＳｉＯ2、ゲート絶縁膜１１０３が例えばＳ
ｉ3Ｎ4によりそれぞれ構成されている。ゲート絶縁膜１１０２，１１０３の総膜厚は、例えば２００ｎｍ〜３００ｎｍである。
【手続補正５】
【補正対象書類名】明細書
【補正対象項目名】００２８
【補正方法】変更
【補正の内容】
【００２８】
なお、平坦化層１１２にはコンタクトホールＨが設けられており、このコンタクトホールＨを通じてソース・ドレイン電極１１０６と、有機ＥＬ素子２Ｒ，２Ｇ，２Ｂの各第１電極１１とが電気的に接続されている。第１電極１１は、絶縁膜１２によって画素毎に電気的に分離されており、第１電極１１上には、後述する各色発光層を含む有機層１４および第２電極１６が積層されている。有機ＥＬ素子２Ｒ，２Ｇ，２Ｂの詳細な構成については後述する。
【手続補正６】
【補正対象書類名】明細書
【補正対象項目名】００３２
【補正方法】変更
【補正の内容】
【００３２】
有機ＥＬ素子２Ｒは、絶縁膜１２の開口部に形成され、例えば、第１電極１１上に、正孔注入層（ＨＩＬ）１３Ｂ、正孔輸送層（ＨＴＬ）１３Ａ、赤色発光層１４Ｒ、青色発光層１４Ｂ、電子輸送層（ＥＴＬ）１５Ａ、電子注入層（ＥＩＬ）１５Ｂおよび第２電極１６がこの順に積層されたものである。有機ＥＬ素子２Ｇについても同様で、例えば有機ＥＬ素子２Ｒの積層構造のうちの赤色発光層１４Ｒを緑色発光層１４Ｇと置き換えた積層構造を有している。有機ＥＬ素子２Ｂは、例えば、第１電極１１上に、正孔注入層１３Ｂ、正孔輸送層１３Ａ、青色発光層１４Ｂ、電子輸送層１５Ａ、電子注入層１５Ｂおよび第２電極１６がこの順に積層されたものである。このように、本実施の形態では、赤色発光層１４Ｒおよび緑色発光層１４Ｇが画素毎に分離して形成されており、青色発光層１４Ｂは、各画素に共通して表示領域１１０Ａの全面にわたって形成されている。その他、正孔注入層１３Ｂ、正孔輸送層１３Ａ、電子輸送層１５Ａおよび電子注入層１５Ｂについては各画素に共通して設けられている。詳細は後述するが、本実施の形態では、赤色発光層１４Ｒおよび緑色発光層１４Ｇは反転印刷法によって形成され、青色発光層１４Ｂは真空蒸着法によって形成されている。また、ここでは図示していないが緑色の有機ＥＬ素子２Ｇは、更に発光層印刷時に形成される電荷輸送層１７を含んでいる。
【手続補正７】
【補正対象書類名】明細書
【補正対象項目名】００４０
【補正方法】変更
【補正の内容】
【００４０】
高分子材料としては、例えばポリフルオレン系高分子誘導体，（ポリ）パラフェニレンビニレン誘導体，ポリフェニレン誘導体，ポリビニルカルバゾール誘導体，ポリチオフェン誘導体，ペリレン系色素，クマリン系色素，ローダミン系色素，あるいはこれらの材料にドーパント材料を混合したものが挙げられる。ドーパント材料としては、例えばルブレン，ペリレン，９，１０−ジフェニルアントラセン，テトラフェニルブタジエン，ナイルレッド，クマリン６等が挙げられる。低分子材料としては、例えばベンジン，スチリルアミン，トリフェニルアミン，ポルフィリン，トリフェニレン，アザトリフェニレン，テトラシアノキノジメタン，トリアゾール，イミダゾール，オキサジアゾール，ポリアリールアルカン，フェニレンジアミン，アリールアミン，オキサゾール，アントラセン，フルオレノン，ヒドラゾン，スチルベンあるいはこれらの誘導体、または、ポリシラン系化合物，ビニルカルバゾール系化合物，チオフェン系化合物あるいはアニリン系化合物等の複素環式共役系のモノマーあるいはオリゴマーが挙げられる。また、各色発光層は、このような材料の他にも、ゲスト材料として、発光効率が高い材料、例えば、低分子蛍光材料、燐光色素あるいは金属錯体等を含んでいてもよい。
【手続補正８】
【補正対象書類名】明細書
【補正対象項目名】００４５
【補正方法】変更
【補正の内容】
【００４５】
図５は、有機ＥＬ素子２Ｒ，２Ｇ，２Ｂの積層構造を模式的に表したものである。上述したように、有機ＥＬ素子２Ｒ，２Ｇ，２Ｂのうち、有機ＥＬ素子２Ｒ，２Ｇでは、赤色発光層１４Ｒ，緑色発光層１４Ｇが画素毎に分離して形成されている。一方、有機ＥＬ素子２Ｂでは、青色発光層１４Ｂが有機ＥＬ素子２Ｒ，２Ｇの形成領域まで延在して形成されている。換言すると、３色の発光層のうち、２色の発光層（赤色発光層１４Ｒ，緑色発光層１４Ｇ）が、駆動基板１１上に所定のパターン（例えばライン状、マトリクス状のパターン）で形成されている。
【手続補正９】
【補正対象書類名】明細書
【補正対象項目名】００４７
【補正方法】変更
【補正の内容】
【００４７】
電荷輸送層１７は、ここでは正孔輸送性材料を含んで構成されており、厚みは、例えば５ｎｍ〜２０ｎｍである。この正孔輸送層１７の構成材料としては、上記正孔輸送層１３Ａにおいて挙げた材料を用いることができるがこれに限定されない。例えば、上記正孔輸送層１３Ａの材料の他に、例えばポリＴＰＤ等のジアミノジフェニル誘導体、非発光の正孔輸送材料として用いるＰＰＶあるいはＰＥＤＯＴ−ＰＳＳを用いてもよい。また、電荷輸送層１７と、正孔輸送層１３Ａとが、互いに同一の材料により構成されていてもよいし、異なる材料から構成されていてもよい。この電荷輸送層１７は、赤色発光層１４Ｒを形成したのち、緑色発光層１４Ｇと同一のパターンで形成されている。
【手続補正１０】
【補正対象書類名】明細書
【補正対象項目名】００５２
【補正方法】変更
【補正の内容】
【００５２】
（Ｇ，Ｒ発光層の形成工程）
次に、図８に示したように、赤画素領域２Ｒ１に赤色発光層１４Ｒ、緑画素領域２Ｇ１に緑色発光層１４Ｇをそれぞれ形成する。この際、以下に説明するように、ブランケットを用いた反転印刷法により、緑色発光層１４Ｇおよび赤色発光層１４Ｒをこの順にそれぞれパターン形成する。概要は以下の通りである。
１．第１発光層の形成
（１）第１発光材料を含む溶液をブランケット上に塗布
（２）凹版を用いてブランケット上に印刷パターンを形成
（３）ブランケット上の印刷パターンを駆動基板１０上へ転写
２．電荷輸送層１７の形成
（１）正孔輸送性材料を含む溶液をブランケットに塗布
（２）凹版を用いてブランケット上に印刷パターンを形成
（３）ブランケット上の印刷パターンを駆動基板１０上へ転写
３．第２発光層の形成
（１）第２発光材料を含む溶液をブランケット上に塗布
（２）凹版を用いてブランケット上に印刷パターンを形成
（３）ブランケット上の印刷パターンを駆動基板１０上へ転写
【手続補正１１】
【補正対象書類名】明細書
【補正対象項目名】００５４
【補正方法】変更
【補正の内容】
【００５４】
（２）印刷パターン形成工程
次いで、ブランケット６０上に赤色発光層１４Ｒの印刷パターン層（印刷パターン層１４ｇ１）を形成する。具体的には、まず、図１０（Ａ）に示したように、赤画素領域２Ｒ１に対応して凹部を有する凹版６１と、ブランケット６０の溶液Ｄ１ｒの層とを向かい合わせ、図１０（Ｂ）に示したように、凹版６１にブランケット６０上の溶液Ｄ１ｒの層を押し付ける。この後、図１０（Ｃ）に示したように、ブランケット６０を凹版６１から剥離することにより、溶液Ｄ１ｒの層のうちの不要部分（Ｄ１ｒ'）は、凹版６１の凸部側
に転写されて、ブランケット６０上から除去される。これにより、ブランケット６０上には、赤色画素領域に対応する赤色発光層１４Ｒの印刷パターン１４ｒ１が形成される。なお、図中ではライン状パターンで示したが、ＴＦＴ画素配列と矛盾なければパターンの形状はライン状に限定されるものでは無い。
【手続補正１２】
【補正対象書類名】明細書
【補正対象項目名】００５７
【補正方法】変更
【補正の内容】
【００５７】
（２）印刷パターンの形成工程および（３）転写工程
次いで、特に図示はしないが、上記赤色発光層１４Ｒの場合と同様にして、所定の凹版を用いて、ブランケット６２上に電荷輸送層１７の印刷パターン層を形成したのち、駆動基板１０ａ側へ転写する。これにより、駆動基板１０ａ上に電荷輸送層１７が形成される。
【手続補正１３】
【補正対象書類名】明細書
【補正対象項目名】００５８
【補正方法】変更
【補正の内容】
【００５８】
３．第２発光層の形成
（１）第２発光層塗布工程
続いて、第２発光層（ここでは、緑色発光層１４Ｇ）を転写する際に使用するブランケット６３を用意し、このブランケット６３上に緑色発光材料を含む溶液Ｄ１ｇを塗布形成する。具体的には、図１３（Ａ），（Ｂ）に示したように、溶液Ｄ１ｇを、ブランケット６３上に滴下し、例えばスピンコート法あるいはスリットコート法などの直接塗布法により、ブランケット６３上の全面にわたって形成する。これにより、図１３（Ｃ）に示したように、ブランケット６３では、緑色発光材料を含む溶液Ｄ１ｇの層が形成される。
【手続補正１４】
【補正対象書類名】明細書
【補正対象項目名】００５９
【補正方法】変更
【補正の内容】
【００５９】
（２）印刷パターンの形成工程および（３）転写工程
次いで、特に図示はしないが、上記緑色発光層１４Ｇの場合と同様にして、所定の凹版を用いて、ブランケット６３上に緑色発光層１４Ｇの印刷パターン層を形成したのち、駆動基板１０ａ側へ転写する。これにより、駆動基板１０ａ上に緑色発光層１４Ｇが形成される。
【手続補正１５】
【補正対象書類名】明細書
【補正対象項目名】００６０
【補正方法】変更
【補正の内容】
【００６０】
上記のように、本実施の形態では、３色の発光層のうち、赤色発光層１４Ｒおよび緑色発光層１４Ｇを、ブランケットを用いた反転印刷により、画素ごとに分離してパターンを形成する。この際、例えば赤色発光層１４Ｒを形成する工程において、凹版６１によって溶液Ｄ１ｒが剥離された領域におけるブランケット６０上には、溶液Ｄ１ｒを塗布した際に吸収された赤色発光材料が残存する。このため、赤色発光層１４Ｒの転写工程において、図１４（Ａ）に示したように、赤画素領域２Ｒ１以外の領域、具体的には緑画素領域２Ｇ１および青画素領域２Ｂ１に赤色発光材料（赤色残渣１４ｒ）が付着する。このため、緑画素領域２Ｇ１では、図１５（Ａ）に示したように、電圧印加により第１電極１１および第２電極１６からそれぞれ正孔および電子が輸送され、緑色発光層１４Ｇおよび緑色発光層１４Ｇに隣接して存在する赤色発光材料が励起されて発光する。よって、有機ＥＬ素子２Ｇの発光光は、図１６（Ａ）に示したように緑色光を示すピーク（波長５５０ｎｍ付近）の他に赤色光を示すピーク（波長６００ｎｍ付近）を含む状態となる。即ち、緑色光と赤色光が混色した状態となり、色純度が低下する。
【手続補正１６】
【補正対象書類名】明細書
【補正対象項目名】００６２
【補正方法】変更
【補正の内容】
【００６２】
次に、図１７（Ａ）に示したように、青色発光層１４Ｂを、例えば真空蒸着法により、駆動基板１０の全面にわたって形成する。なお、青色発光層１４Ｂを形成する前に、青画素領域２Ｂ１上に再度電荷輸送層１７を、例えば１ｎｍ以上形成することにより青色有機ＥＬ素子２Ｂの色純度等の素子特性の向上が期待できる。また、青色発光層１４Ｂはここでは有機ＥＬ素子２Ｒ，２Ｇ，２Ｂにおける共通層として設けたが、これに限らず、赤色発光層１４Ｒおよび緑色発光層１４Ｇと同様に反転印刷により形成しても構わない。
【手続補正１７】
【補正対象書類名】明細書
【補正対象項目名】００６８
【補正方法】変更
【補正の内容】
【００６８】
これに対し、本実施の形態では、赤色発光層１４Ｒを形成したのち、緑画素領域上に電荷輸送層１７を設けることにより、有機ＥＬ素子２Ｇでは、電荷輸送層１７によって正孔輸送層１３Ａ上に存在する赤色残渣１４ｒへの電子の注入が阻害される。よって、有機ＥＬ素子２Ｇにおける発光光は、緑色発光層１４Ｇによる発光光のみとなり、発光スペクトルの混色が抑制され、色純度が向上する。
【手続補正１８】
【補正対象書類名】明細書
【補正対象項目名】００７５
【補正方法】変更
【補正の内容】
【００７５】
＜第３の実施の形態＞
図２０は、本開示の第３の実施の形態に係る表示装置３の有機ＥＬ素子２Ｒ，２Ｇ，２Ｂの積層構造を模式的に表したものである。図２１は、本実施の形態における電荷輸送層１７および緑色発光層１４Ｇの２層を一括して塗布する工程を表したものである。本実施の形態の表示装置３は、緑画素領域２Ｇ１上に電荷輸送層１７および緑色発光層１４Ｇを一括して塗布した点が上記第１の実施の形態と異なる。
【手続補正１９】
【補正対象書類名】明細書
【補正対象項目名】００８１
【補正方法】変更
【補正の内容】
【００８１】
図２３は、スマートフォンの外観を表している。このスマートフォンは、例えば、表示部１１０（表示装置１等）および非表示部（筐体）１２０と、操作部１３０とを備えている。操作部１３０は、（Ａ）に示したように非表示部１２０の前面に設けられていてもよいし、（Ｂ）に示したように上面に設けられていてもよい。
【手続補正２０】
【補正対象書類名】明細書
【補正対象項目名】００８３
【補正方法】変更
【補正の内容】
【００８３】
図２５は、デジタルスチルカメラの外観構成を表しており、（Ａ）および（Ｂ）は、それぞれ前面および後面を示している。このデジタルスチルカメラは、例えば、フラッシュ用の発光部３１０と、表示部３２０（表示装置１等）と、メニュースイッチ３３０と、シャッターボタン３４０とを備えている。
【手続補正２１】
【補正対象書類名】明細書
【補正対象項目名】００８４
【補正方法】変更
【補正の内容】
【００８４】
図２６は、ノート型のパーソナルコンピュータの外観構成を表している。このパーソナルコンピュータは、例えば、本体４１０と、文字等の入力操作用のキーボード４２０と、画像を表示する表示部４３０（表示装置１等）とを備えている。
【手続補正２２】
【補正対象書類名】明細書
【補正対象項目名】００８５
【補正方法】変更
【補正の内容】
【００８５】
図２７は、ビデオカメラの外観構成を表している。このビデオカメラは、例えば、本体部５１０と、その本体部５１０の前方側面に設けられた被写体撮影用のレンズ５２０と、撮影時のスタート／ストップスイッチ５３０と、表示部５４０（表示装置１等）とを備えている。
【手続補正２３】
【補正対象書類名】明細書
【補正対象項目名】００８６
【補正方法】変更
【補正の内容】
【００８６】
図２８は、携帯電話機の外観構成を表している。（Ａ）および（Ｂ）は、それぞれ携帯電話機を開いた状態の正面および側面を示している。（Ｃ）〜（Ｇ）は、それぞれ携帯電話機を閉じた状態の正面、左側面、右側面、上面および下面を示している。この携帯電話機は、例えば、上側筐体６１０と下側筐体６２０とが連結部（ヒンジ部）６３０により連結されたものであり、ディスプレイ６４０（表示装置１等）と、サブディスプレイ６５０と、ピクチャーライト６６０と、カメラ６７０とを備えている。
【手続補正２４】
【補正対象書類名】明細書
【補正対象項目名】００９０
【補正方法】変更
【補正の内容】
【００９０】
なお、本技術は以下のような構成もとることができる。
（１）互いに色の異なる複数の発光層と、前記複数の発光層にそれぞれ電圧を印加する第１電極および第２電極と、前記複数の発光層のうちの１または２以上の発光層と前記第１電極との間に設けられた電荷輸送層とを備えた有機電界発光装置。
（２）前記複数の発光層は、素子毎に第１および第２の発光層を含み、前記第１および第２の発光層のうちの前記第２の発光層の前記第１電極側に、前記電荷輸送層が形成されている、（１）に記載の有機電界発光装置。
（３）前記電荷輸送層は、前記第１の発光層の前記第２電極側および前記第２の発光層の前記第１電極側に連続して設けられている、前記（２）に記載の有機電界発光装置。
（４）赤画素、緑画素および青画素を含み、前記赤画素では、前記第１の発光層として赤色発光層が、前記緑画素では、前記第２の発光層として緑色発光層がそれぞれ形成されている、前記（２）または（３）に記載の有機電界発光装置。
（５）赤画素、緑画素および青画素を含み、前記緑画素では、前記第１の発光層として緑色発光層が、前記赤画素では、前記第２の発光層として赤色発光層がそれぞれ形成されている、前記（２）乃至（４）のいずれかに記載の有機電界発光装置。
（６）前記青画素は青色発光層を有し、前記電荷輸送層は、前記青画素における前記青色発光層の前記第１電極側にも設けられている、前記（４）または（５）に記載の有機電界発光装置。
（７）赤画素、緑画素および青画素を含み、前記赤画素および前記緑画素では黄色発光層が設けられ、前記青画素では、青色発光層が設けられている、前記（２）乃至（６）のいずれかに記載の有機電界発光装置。
（８）前記青画素では、前記青色発光層の前記第１電極側に前記電荷輸送層が形成されている、前記（７）に記載の有機電界発光装置。
（９）前記青色発光層は、前記赤色発光層上および前記緑色発光層上の領域まで延在形成されている、前記（７）または（８）のいずれかに記載の有機電界発光装置。
（１０）前記電荷輸送層は正孔輸送性材料により構成されている、前記（１）乃至（９）のいずれかに記載の有機電界発光装置。
（１１）前記第１の発光層はシロキサンを含む、前記（２）乃至（１０）のいずれかに記載の有機電界発光装置。
（１２）第１電極を形成する工程と、前記第１電極上に互いに色の異なる複数の発光層を形成する発光層形成工程と、前記複数の発光層上に第２電極を形成する工程とを含み、前記発光層形成工程では、前記複数の発光層のうちの一の発光層を形成したのちに、他の発光層と前記第１電極との間に電荷輸送層を形成する有機電界発光装置の製造方法。
（１３）前記発光層形成工程では、第１および第２の発光層を、この順に、１または２種類の版を用いた印刷により形成し、前記第１の発光層を形成したのち、前記第２の発光層を形成する版を用いて前記電荷輸送層を形成する、前記（１２）に記載の有機電界発光装置の製造方法。
（１４）前記第１の発光層を形成したのち、前記第２の発光層および前記電荷輸送層を積層した状態で形成する、前記（１３）に記載の有機電界発光装置の製造方法。
（１５）赤画素領域に前記第１の発光層としての赤色発光層と、緑画素領域に前記第２の発光層としての緑色発光層をそれぞれ形成する、前記（１３）または（１４）に記載の有機電界発光装置の製造方法。
（１６）前記赤色発光層および緑色発光層を形成したのち、前記赤色発光層上および緑色発光層上の領域から青画素領域にわたって青色発光層を形成する、前記（１５）に記載の有機電界発光装置の製造方法。
（１７）赤画素領域および緑画素領域に前記第１の発光層として黄色発光層を、青画素領域に前記第２の発光層として青色発光層をそれぞれ形成する、前記（１２）乃至（１６）のいずれかに記載の有機電界発光装置の製造方法。
（１８）前記複数の発光層および電荷輸送層は有版印刷法によって形成されている、前記（１２）乃至（１７）のいずれかに記載の有機電界発光装置の製造方法。
（１９）前記複数の発光層および電荷輸送層は反転オフセット印刷法によって形成されている、前記（１２）乃至（１８）のいずれかに記載の有機電界発光装置の製造方法。
（２０）互いに異なる複数の発光層と、前記複数の発光層にそれぞれ電圧を印加する第１電極および第２電極と、前記複数の発光層のうちの１または２以上の発光層と前記第１電極との間に設けられた電荷輸送層とを備えた有機電界発光装置を有する電子機器。